(57)【特許請求の範囲】
【請求項１】
固定体と、
光学素子を保持する可動モジュールと、
前記固定体に前記可動モジュールが変位可能に支持された状態とするバネ部材と、
前記可動モジュールの振れを検出する振れ検出センサと、
前記可動モジュールと前記固定体との間に設けられ、前記振れ検出センサの検出結果に基づいて前記振れを相殺するように前記可動モジュールを前記固定体に対して相対変位させる磁気駆動力を発生させる振れ補正用の可動モジュール駆動機構と、
を有する振れ補正機能付きの光学ユニットにおいて、
光軸方向の一方側を第１方向とし、他方側を第２方向としたとき、
前記可動モジュールは、前記光学素子を保持する光学素子ユニットと、前記バネ部材によって変位可能に前記固定体に支持され、前記第１方向側に前記光学素子ユニットより大きなモジュールカバー側開口部を備えたモジュールカバーと、該モジュールカバー側に設けられ、前記光学素子ユニットの第２方向側端部を支持する支持部と、前記光学素子ユニットの第１方向側端部を支持するように前記モジュールカバーに連結された押さえ部材と、を備え、
前記第１方向は、前記光学素子ユニットにおいて光軸が延在している側であり、
前記第２方向は、前記光学素子ユニットにおいて光軸が延在している側とは反対側であり、
前記固定体は、前記第１方向側に前記光学素子ユニットより大きな固定体側開口部を前記モジュールカバー側開口部と重なる位置に備え、
前記支持部は、前記モジュールカバーとは別の部材であって、前記モジュールカバーに対して前記第２方向側に設けられた支持部材であることを特徴とする光学ユニット。
【請求項２】
前記モジュールカバーは、前記光学素子ユニットの周りを囲む筒状胴部を備え、
前記支持部材は、前記筒状胴部に対して前記第２方向側に設けられていることを特徴とする請求項１に記載の光学ユニット。
【請求項３】
前記光学素子ユニットの第２方向側端部と前記支持部との間には、前記光学素子ユニットに電気的接続するコネクタ部材が配置されていることを特徴とする請求項１または２に記載の光学ユニット。
【請求項４】
前記光学素子ユニットは、前記光学素子として撮像素子を保持していることを特徴とする請求項１乃至３の何れか一項に記載の光学ユニット。
【請求項５】
前記光学素子ユニットは、前記光学素子を光軸方向に駆動する光学素子駆動機構を保持していることを特徴とする請求項１乃至４の何れか一項に記載の光学ユニット。
【請求項６】
固定体と、
光学素子を保持する可動モジュールと、
前記固定体に前記可動モジュールが変位可能に支持された状態とするバネ部材と、
前記可動モジュールの振れを検出する振れ検出センサと、
前記可動モジュールと前記固定体との間に設けられ、前記振れ検出センサの検出結果に基づいて前記振れを相殺するように前記可動モジュールを前記固定体に対して相対変位させる磁気駆動力を発生させる振れ補正用の可動モジュール駆動機構と、
を有する振れ補正機能付きの光学ユニットの製造方法において、
光軸方向の一方側を第１方向とし、他方側を第２方向としたとき、
前記可動モジュールには、前記光学素子を保持する光学素子ユニットと、前記バネ部材によって変位可能に前記固定体に支持され、前記第１方向側に前記光学素子ユニットより大きなモジュールカバー側開口部を備えたモジュールカバーと、該モジュールカバー側に設けられ、前記光学素子ユニットの第２方向側端部を支持する支持部と、前記光学素子ユニットの第１方向側端部を支持するように前記モジュールカバーに連結される押さえ部材と、を設けておき、
前記固定体には、前記第１方向側に前記光学素子ユニットより大きな固定体側開口部を前記モジュールカバー側開口部と重なる位置に設けておき、
前記第１方向は、前記光学素子ユニットにおいて光軸が延在している側であり、
前記第２方向は、前記光学素子ユニットにおいて光軸が延在している側とは反対側であり、
前記支持部は、前記モジュールカバーとは別の部材であって、前記モジュールカバーに対して前記第２方向側に設けられた支持部材であり、
前記バネ部材を介して前記モジュールカバーおよび前記支持部を前記固定体に搭載するとともに、前記モジュールカバーと前記固定体との間に前記可動モジュール駆動機構を設ける第１工程と、
前記固定体側開口部および前記モジュールカバー側開口部を経由して前記モジュールカバーの内側に前記光学素子ユニットを挿入する第２工程と、
前記押さえ部材を前記モジュールカバーに連結する第３工程と、
を有することを特徴とする光学ユニットの製造方法。
【発明の詳細な説明】
【技術分野】
【０００１】
本発明は、カメラ付き携帯電話機などに搭載される光学ユニットおよびその製造方法に関するものである。
【背景技術】
【０００２】
近年、携帯電話機は、撮影用の光学ユニットが搭載された光学機器として構成されている。かかる撮影用の光学ユニットでは、ユーザーの手振れによる撮影画像の乱れを防止することを目的に、レンズなどの光学素子を備えた可動モジュールがバネ部材によって固定体に変位可能に支持された状態とするとともに、可動モジュールと固定体との間に、可動モジュールを揺動させる手振れ補正用の可動モジュール駆動機構を構成することが提案されている（特許文献１参照）。
【０００３】
また、特許文献１に記載の光学ユニットでは、可動モジュールを、レンズなどを備えた光学素子ユニットと、この光学素子ユニットを保持するモジュールカバーとを有する構造とし、モジュールカバーに光学素子ユニットより大きな開口部を形成しておくことが提案されている。かかる構成によれば、バネ部材を介してモジュールカバーが固定体に支持された状態とした後、モジュールカバー内に光学素子ユニットを収容し、しかる後に、接着や溶着などにより、モジュールカバー内で光学素子ユニットを固定することができる。従って、レンズなどを備えた光学素子ユニットを他の機構と別工程で製作できるという利点がある。
【先行技術文献】
【特許文献】
【０００４】
【特許文献１】特開２００７−４１４１８号公報
【発明の概要】
【発明が解決しようとする課題】
【０００５】
しかしながら、モジュールカバー内に光学素子ユニットを収容した後、接着や溶着などにより、モジュールカバー内で光学素子ユニットを固定する構成では、接着や溶着などが完了するまでの間、モジュールカバー内に挿入した光学素子ユニットを保持している必要があり、組立に多大な手間がかかるという問題点がある。また、モジュールカバー内に光学素子ユニットを固定する際、光軸がずれるなどの問題点もある。
【０００６】
かかる問題点は、手振れ補正機構を備えた撮像用の光学ユニットに限らず、可動モジュールが固定体に変位可能に支持された光学モジュール全般において共通する問題点である。
【０００７】
以上の問題点に鑑みて、本発明の課題は、光学素子ユニットを他の機構と別工程で製作可能とした場合でも、組立が容易で、光軸のずれなども発生しにくい光学ユニットおよびその製造方法を提供することにある。
【課題を解決するための手段】
【０００８】
上記課題を解決するために、本発明では、固定体と、光学素子を保持する可動モジュールと、前記固定体に前記可動モジュールが変位可能に支持された状態とするバネ部材と、前記可動モジュールの振れを検出する振れ検出センサと、前記可動モジュールと前記固定体との間に設けられ、前記振れ検出センサの検出結果に基づいて前記振れを相殺するように前記可動モジュールを前記固定体に対して相対変位させる磁気駆動力を発生させる振れ補正用の可動モジュール駆動機構と、を有する振れ補正機能付きの光学ユニットにおいて、光軸方向の一方側を第１方向とし、他方側を第２方向としたとき、前記可動モジュールは、前記光学素子を保持する光学素子ユニットと、前記バネ部材によって変位可能に前記
固定体に支持され、前記第１方向側に前記光学素子ユニットより大きなモジュールカバー側開口部を備えたモジュールカバーと、該モジュールカバー側に設けられ、前記光学素子ユニットの第２方向側端部を支持する支持部と、前記光学素子ユニットの第１方向側端部を支持するように前記モジュールカバーに連結された押さえ部材と、を備え、前記第１方向は、前記光学素子ユニットにおいて光軸が延在している側であり、前記第２方向は、前記光学素子ユニットにおいて光軸が延在している側とは反対側であり、前記固定体は、前記第１方向側に前記光学素子ユニットより大きな固定体側開口部を前記モジュールカバー側開口部と重なる位置に備え、前記支持部は、前記モジュールカバーとは別の部材であって、前記モジュールカバーに対して前記第２方向側に設けられた支持部材であることを特徴とする。
【０００９】
また、本発明では、固定体と、光学素子を保持する可動モジュールと、前記固定体に前記可動モジュールが変位可能に支持された状態とするバネ部材と、前記可動モジュールの振れを検出する振れ検出センサと、前記可動モジュールと前記固定体との間に設けられ、前記振れ検出センサの検出結果に基づいて前記振れを相殺するように前記可動モジュールを前記固定体に対して相対変位させる磁気駆動力を発生させる振れ補正用の可動モジュール駆動機構と、を有する振れ補正機能付きの光学ユニットの製造方法において、光軸方向の一方側を第１方向とし、他方側を第２方向としたとき、前記可動モジュールには、前記光学素子を保持する光学素子ユニットと、前記バネ部材によって変位可能に前記固定体に支持され、前記第１方向側に前記光学素子ユニットより大きなモジュールカバー側開口部を備えたモジュールカバーと、該モジュールカバー側に設けられ、前記光学素子ユニットの第２方向側端部を支持する支持部と、前記光学素子ユニットの第１方向側端部を支持するように前記モジュールカバーに連結される押さえ部材と、を設けておき、前記固定体には、前記第１方向側に前記光学素子ユニットより大きな固定体側開口部を前記モジュールカバー側開口部と重なる位置に設けておき、前記第１方向は、前記光学素子ユニットにおいて光軸が延在している側であり、前記第２方向は、前記光学素子ユニットにおいて光軸が延在している側とは反対側であり、前記支持部は、前記モジュールカバーとは別の部材であって、前記モジュールカバーに対して前記第２方向側に設けられた支持部材であり、前記バネ部材を介して前記モジュールカバーおよび前記支持部を前記固定体に搭載するとともに、前記モジュールカバーと前記固定体との間に前記可動モジュール駆動機構を設ける第１工程と、前記固定体側開口部および前記モジュールカバー側開口部を経由して前記モジュールカバーの内側に前記光学素子ユニットを挿入する第２工程と、前記押さえ部材を前記モジュールカバーに連結する第３工程と、を有することを特徴とする。
【００１０】
本発明では、固定体には、第１方向で開口する固定体側開口部が設けられ、モジュールカバーにも、第１方向側にモジュールカバー側開口部が設けられている。このため、バネ部材を介してモジュールカバーを固定体に搭載するとともに、モジュールカバーと固定体との間に可動モジュール駆動機構を設けた後、固定体側開口部およびモジュールカバー側開口部を経由してモジュールカバーの内側に光学素子ユニットを挿入することができる。従って、固定体に対してモジュールカバー、バネ部材、可動モジュール駆動機構を取り付ける工程とは別工程で、光学素子ユニットを製作できる。従って、全ての部材を組立後に検査するなどの場合と違って、製造途中で検査することができる。それ故、不具合品が発生した際に発生する損失を低く抑えることができる。また、モジュールカバーに対して第２方向側には支持部が設けられ、第１方向側には押さえ部材が設けられている。このため、モジュールカバー内に光学素子ユニットを挿入した際、光学素子ユニットの第２方向側の端部は支持部によって支持される。また、押さえ部材を取り付けた後は、光学素子ユニットの第１方向側での端部は押さえ部材によって支持される。従って、モジュールカバー内に光学素子ユニットを収容した後、接着や溶着などにより、モジュールカバー内で光学素子ユニットを固定する構成と違って、組立が容易で、光軸のずれなども発生しにくい。それ故、光学ユニットの生産効率および歩留まりを向上することができる。さらに、光学素子ユニットを搭載した後、光学素子ユニットのみを交換することができるとともに、光学ユニットを製造する際、搭載すべき光学素子ユニットを別のものに変更することも容易である。
【００１２】
本発明において、前記モジュールカバーは、前記光学素子ユニットの周りを囲む筒状胴部を備え、前記支持部材は、前記筒状胴部に対して前記第２方向側に設けられている構成
を採用することができる。
【００１６】
この場合、前記光学素子ユニットの第２方向側端部と前記支持部との間には、前記光学素子ユニットに電気的接続するコネクタ部材が配置されていることが好ましい。このように構成すると、光学素子ユニットの第２方向側端部で電気的な接続を容易に行なうことができる。
【００１７】
本発明において、前記光学素子ユニットは、前記光学素子として撮像素子を保持している構成を採用することができる。また、本発明において、前記光学素子ユニットは、前記光学素子を光軸方向に駆動する光学素子駆動機構を保持している構成を採用してもよい。
【発明の効果】
【００１８】
本発明では、バネ部材を介してモジュールカバーを固定体に搭載するとともに、モジュールカバーと固定体との間に可動モジュール駆動機構を設けた後、固定体側開口部およびモジュールカバー側開口部を経由してモジュールカバーの内側に光学素子ユニットを挿入することができる。従って、固定体に対してモジュールカバー、バネ部材、可動モジュール駆動機構を取り付ける工程とは別工程で、光学素子ユニットを製作できる。従って、全ての部材を組立後、検査するなどの場合と違って、製造途中で検査することができる。それ故、不具合品が発生した際に発生する損失を低く抑えることができる。また、モジュールカバー内に光学素子ユニットを挿入した際、光学素子ユニットの第２方向側の端部は支持部によって支持され、押さえ部材を取り付けた後は、光学素子ユニットの第１方向側での端部は押さえ部材によって支持される。従って、モジュールカバー内に光学素子ユニットを収容した後、接着や溶着などにより、モジュールカバー内で光学素子ユニットを固定する構成と違って、組立が容易で、光軸のずれなども発生しにくい。それ故、光学ユニットの生産効率および歩留まりを向上することができる。さらに、光学素子ユニットを搭載した後、光学素子ユニットのみを交換することができるとともに、光学ユニットを製造する際、搭載すべき光学素子ユニットを別のものに変更することも容易である。
【図面の簡単な説明】
【００１９】
【図１】本発明の参考例に係る撮影用の光学ユニットの説明図である。
【図２】本発明の参考例に係る光学ユニットの固定体および可動モジュールの説明図である。
【図３】本発明の参考例に係る光学ユニットの可動モジュールに内蔵されている撮影ユニットの説明図である。
【図４】本発明の参考例に係る光学ユニットの可動モジュールの分解斜視図である。
【図５】本発明の参考例に係る光学ユニットの製造方法を示す説明図である。
【図６】本発明の参考例に係る光学ユニットの製造方法を示す説明図である。
【図７】本発明の実施の形態に係る撮影用の光学ユニットの説明図である。
【図８】本発明の実施の形態に係る光学ユニットの固定体および可動モジュールの説明図である。
【図９】本発明の実施の形態に係る光学ユニットの可動モジュールの説明図である。
【図１０】本発明の実施の形態に係る光学ユニットの製造方法を示す説明図である。
【発明を実施するための形態】
【００２０】
以下、本発明を実施するための最良の形態について、図面を参照しながら説明する。なお、以下の説明においては、光学素子ユニットとして撮影ユニットの手振れを防止するための構成を例示する。また、以下の説明では、互いに直交する３方向を各々Ｘ軸、Ｙ軸、Ｚ軸とし、光軸Ｌ（レンズ光軸）に沿う方向をＺ軸とする。従って、以下の説明では、各方向の振れのうち、Ｘ軸周りの回転は、いわゆるピッチング（縦揺れ）に相当し、Ｙ軸周りの回転は、いわゆるヨーイング（横揺れ）に相当し、Ｚ軸周りの回転は、いわゆるローリングに相当する。また、Ｘ軸の一方側には＋Ｘを付し、他方側には−Ｘを付し、Ｙ軸の一方側には＋Ｙを付し、他方側には−Ｙを付し、Ｚ軸の一方側（被写体側とは反対側）には＋Ｚを付し、他方側（被写体側）には−Ｚを付して説明する。
【００２１】
［参考例］
本形態では、モジュールカバーなどを固定体に搭載した後、モジュールカバー内に撮影ユニット（光学素子ユニット）を被写体（光軸が延在している側）とは反対側から挿入する。従って、本形態において、「第１方向」および「第２方向」は各々以下に示す条件
第１方向＝光軸が延在している側とは反対方向（被写体とは反対側）
第２方向＝光軸が延在している方向（被写体側）
である。
【００２２】
（撮影用光学装置の全体構成）
図１は、本発明の参考例に係る撮影用の光学ユニットの説明図であり、図１（ａ）、（ｂ）は各々、光学ユニットを被写体側からみた斜視図、および光学ユニットを被写体側とは反対側からみた斜視図である。図２は、本発明の参考例に係る光学ユニットの固定体および可動モジュールの説明図であり、図２（ａ）、（ｂ）、（ｃ）は各々、固定体を被写体側とは反対側からみた斜視図、可動モジュールを被写体側とは反対側からみた斜視図、および可動モジュールを被写体側からみた斜視図である。なお、図２（ａ）では、固定カバーの図示を省略してある。
【００２３】
図１および図２に示す光学ユニット１００（振れ補正機能付き光学ユニット／撮影用光学装置）は、カメラ付き携帯電話機などの光学機器に用いられる薄型カメラであって、全体として略直方体形状を有している。光学ユニット１００は、コイル保持体２６０と、このコイル保持体２６０において被写体側（−Ｚ軸方向）とは反対側（＋Ｚ軸方向）に固定されたフレーム２７０と、コイル保持体２６０およびフレーム２７０を内側に保持する箱状の固定カバー２３０とを備えており、コイル保持体２６０、フレーム２７０および固定カバー２３０によって固定体２１０が構成されている。かかる構成の固定体２１０の内側には、撮影ユニット１を備えた可動モジュール３００が配置されている。固定カバー２３０において被写体側の端部に位置する上板部２３１には、矩形窓状の開口部２３１ａが形成されており、本形態では、可動モジュール３００に対して光軸Ｌ方向で重なる略全領域が開口部２３１ａになっている。また、固定カバー２３０において被写体側とは反対側の端部は開放端になっている。
【００２４】
（撮像ユニット１の構成）
図３は、本発明の参考例に係る光学ユニット１００の可動モジュール３００に内蔵されている撮影ユニット１（光学素子ユニット）の説明図である。なお、図３の左半分は、移動体が無限遠の位置（通常撮影位置）にあるときの図を示しており、図３の右半分は、移動体がマクロ位置（接写撮影位置）にあるときの図を示している。
【００２５】
図３に示すように、撮影ユニット１は、例えば、光学素子としての複数枚のレンズ１０（図１（ｂ）参照）を光軸Ｌの方向に沿って被写体（物体側）に近づくＡ方向（前側）、および被写体とは反対側（撮像素子側／像側）に近づくＢ方向（後側）の双方向に移動させる光学素子ユニットであり、略直方体形状を有している。撮影ユニット１は、概ね、複数枚のレンズ１０（図１（ａ）参照）および固定絞りなどの光学素子を内側に保持した移動体３と、この移動体３を光軸Ｌ方向に沿って移動させるレンズ駆動機構５と、レンズ駆動機構５および移動体３等が搭載された支持体２とを有している。移動体３は、レンズおよび固定絞りを保持する円筒状のレンズホルダ１２と、レンズホルダ１２を内側に保持するコイルホルダ１３とを備えており、コイルホルダ１３の外周側面には、レンズ駆動機構５を構成するレンズ駆動用コイル３０ｓ、３０ｔが保持されている。
【００２６】
支持体２は、被写体側と反対側で撮像素子１５５を位置決めする矩形板状の撮像素子ホルダ１９と、撮像素子ホルダ１９に対して被写体側で被さる箱状のケース１８と、ケース１８の内側に配置される矩形板状のスペーサ１１とを備えており、ケース１８およびスペーサ１１の中央には、被写体からの光をレンズに取り込むための円形の入射窓１１０、１８ａが各々形成されている。また、撮像素子ホルダ１９の中央には、入射光を撮像素子１５５に導く窓１９ａが形成されている。撮影ユニット１において、支持体２は、撮像素子１５５が実装された基板１５１を備えており、基板１５１は撮像素子ホルダ１９の下面に固定されている。
【００２７】
ケース１８は、鋼板等の強磁性板からなり、ヨークとしても機能する。このため、ケース１８は、後述するレンズ駆動用マグネット１７とともに、レンズ駆動用コイル３０ｓ、３０ｔに鎖交磁界を発生させる鎖交磁界発生体を構成しており、かかる鎖交磁界発生体は、コイルホルダ１３の外周面に巻回されたレンズ駆動用コイル３０ｓ、３０ｔとともにレンズ駆動機構５を構成している。
【００２８】
支持体２と移動体３とは、光軸Ｌ方向で離間する位置に設けられた金属製のバネ部材１４ｓ、１４ｔを介して接続されている。バネ部材１４ｓ、１４ｔは基本的な構成が同様であり、支持体２側に保持される外周側連結部と、移動体３の側に保持される円環状の内周側連結部と、外周側連結部と内周側連結部とを接続するアーム状の板バネ部とを備えている。バネ部材１４ｓ、１４ｔのうち、撮像素子１５５側のバネ部材１４ｓは、撮像素子ホルダ１９に外周側連結部が保持され、内周側連結部が移動体３のコイルホルダ１３の撮像素子側端面に連結されている。被写体側のバネ部材１４ｔは、スペーサ１１に外周側連結部が保持され、内周側連結部が移動体３のコイルホルダ１３の被写体側端面に連結されている。このようにして、移動体３は、バネ部材１４ｓ、１４ｔを介して支持体２に光軸Ｌの方向に移動可能に支持されている。かかるバネ部材１４ｓ、１４ｔはいずれも、ベリリウム銅や非磁性のＳＵＳ系鋼材等といった非磁性の金属製であり、所定厚の薄板に対するプレス加工、あるいはフォトリソグラフィ技術を用いたエッチング加工により形成したものである。バネ部材１４ｓ、１４ｔのうち、バネ部材１４ｓは、２つのバネ片に２分割されており、レンズ駆動用コイル３０ｓ、３０ｔの各端末は各々、バネ片に接続される。また、バネ部材１４ｓにおいて、２つのバネ片には各々、端子が形成されており、バネ部材１４ｓはレンズ駆動用コイル３０ｓ、３０ｔに対する給電部材としても機能する。
【００２９】
コイルホルダ１３の被写体側端面にはリング状の磁性片６１が保持されており、かかる磁性片６１の位置は、レンズ駆動用マグネット１７に対して被写体側よりの位置である。このため、磁性片６１は、レンズ駆動用マグネット１７との間に作用する吸引力により移動体３に対して光軸Ｌの方向の付勢力を印加する。このため、非通電時（原点位置）においてはレンズ駆動用マグネット１７と磁性片６１との吸引力によってレンズホルダ１２を撮像素子１５５側に静置することができる。また、磁性片６１は、一種のヨークとして作用し、レンズ駆動用マグネット１７とレンズ駆動用コイル３０ｓ、３０ｔとの間に構成される磁路からの漏れ磁束を少なくすることができる。磁性片６１としては、棒状あるいは球状の磁性体が用いられることもある。磁性片６１をリング形状にすれば、レンズホルダ１２が光軸Ｌ方向に移動する際にレンズ駆動用マグネット１７と引き合う磁気吸引力が等方的になるという効果がある。さらに、レンズ駆動用コイル３０ｓ、３０ｔに対する通電時、磁性片６１はレンズ駆動用マグネット１７から離間する方向に移動するので、撮像素子１５５側にレンズホルダ１２を押し付けるような余計な力は働かない。そのため、少ない電力でレンズホルダ１２を光軸Ｌ方向に移動させることができる。
【００３０】
本形態の撮影ユニット１において、光軸Ｌの方向からみたとき、レンズ１０（図１（ａ）参照）は円形であるが、支持体２に用いたケース１８は矩形箱状である。従って、ケース１８は、角筒状胴部１８ｃを備えており、角筒状胴部１８ｃの上面側には、入射窓１８ａが形成された上板部１８ｂを備えている。角筒状胴部１８ｃの四角形の辺に相当する側面部にはレンズ駆動用マグネット１７が固着されており、かかるレンズ駆動用マグネット１７は各々、矩形の平板状永久磁石からなる。４つのレンズ駆動用マグネット１７はいずれも光軸Ｌの方向において２分割されており、いずれにおいても内面と外面とが異なる極に着磁されている。
【００３１】
本形態において、コイルホルダ１３を光軸Ｌの方向からみたとき、内周形状は円形であるが、コイルホルダ１３の外周形状を規定する外周側面は四角形であり、かかるコイルホルダ１３の周りにレンズ駆動用コイル３０ｓ、３０ｔが巻回されている。ここで、４つのレンズ駆動用マグネット１７はいずれも光軸Ｌ方向において２分割されており、いずれにおいても内面と外面とが異なる極に着磁されているため、２つのレンズ駆動用コイル３０ｓ、３０ｔにおける巻回方向は反対である。このように構成した移動体３は、ケース１８の内側に配置される。その結果、レンズ駆動用コイル３０ｓ、３０ｔは各々、ケース１８の角筒状胴部１８ｃの内面に固着されたレンズ駆動用マグネット１７に対向することになる。
【００３２】
このように構成した撮影ユニット１において、移動体３は、通常は撮像素子側（＋Ｚ側）に位置しており、このような状態において、レンズ駆動用コイル３０ｓ、３０ｔに所定方向の電流を流すと、レンズ駆動用コイル３０ｓ、３０ｔは、それぞれ被写体側（−Ｚ側）に向かう電磁力を受けることになる。これにより、レンズ駆動用コイル３０ｓ、３０ｔが固着された移動体３は、被写体側（前側）に移動し始めることになる。このとき、バネ部材１４ｔと移動体３の前端との間、およびバネ部材１４ｓと移動体３の後端との間には、移動体３の移動を規制する弾性力が発生する。このため、移動体３を前側に移動させようとする電磁力と、移動体３の移動を規制する弾性力とが釣り合ったとき、移動体３は停止する。その際、バネ部材１４ｓ、１４ｔによって移動体３に働く弾性力に応じて、レンズ駆動用コイル３０ｓ、３０ｔに流す電流量を調整することで、移動体３を所望の位置に停止させることができる。
【００３３】
（光学ユニット１００の内部構成）
図１に示す光学ユニット１００において、固定カバー２３０の内側には、撮影ユニット１を変位させて振れ補正を行なうための振れ補正機構（手振れ補正機構）が構成されている。かかる振れ補正機構を構成するにあたって、本形態では、図１および図２に示すように、光学ユニット１００は、固定体２１０と、撮影ユニット１を内側に保持する可動モジュール３００と、固定体２１０および可動モジュール３００に接続する板状のバネ部材６００とを有しており、可動モジュール３００と固定体２１０との間には、後述するように、可動モジュール３００を固定体２１０に対して相対変位させる磁気駆動力を発生させる可動モジュール駆動機構が構成されている。光学ユニット１００において、被写体側とは反対側には、センサ用フレキシブル基板４１０と、駆動用フレキシブル基板４２０とが配置されている。
【００３４】
（固定体２１０の構成）
図１および図２（ａ）に示すように、固定体２１０において、コイル保持体２６０は、４つの角部分に支柱部分２６１を備えており、支柱部分２６１は上端部同士が桟部２６２で連結されている。支柱部分２６１にはネジ２７９（図１（ｂ）参照）を通す穴が形成されている。コイル保持体２６０の４つの側面には、可動モジュール３００をＸ軸方向の両側で挟む２つのＸ側コイル５７１と、可動モジュール３００をＹ軸方向の両側で挟む２つのＹ側コイル５７２とが固着されている。Ｘ側コイル５７１およびＹ側コイル５７２は矩形枠状に巻回された空芯コイルであり、Ｚ軸方向で対向する２つの有効辺部分を備えている。
【００３５】
固定体２１０では、コイル保持体２６０に対して被写体側とは反対側に矩形枠状のフレーム２７０が重ねて配置されている。フレーム２７０は、矩形の枠状部２７１と、枠状部２７１の４つの角部分でコイル保持体２６０に向けて突出する円筒部２７２とを備えており、円筒部２７２には、ネジ２７９（図１（ｂ）参照）を通す穴が形成されている。ここで、コイル保持体２６０の角部分は、フレーム２７０の円筒部２７２と重なる。従って、コイル保持体２６０とフレーム２７０とは４つの角部分でネジ２７９によって固定することができ、かかる固定を行なった状態で、固定体２１０において被写体側とは反対側には、撮像ユニット１を光軸Ｌ方向の投影した面積よりも大きな固定体側開口部２１０ｂが光軸Ｌ方向に開口している状態にある。
【００３６】
なお、Ｘ側コイル５７１およびＹ側コイル５７２への給電には補助基板４５０が用いられており、かかる補助基板４５０は、ネジ２７９によってフレーム２７０とコイル保持体２６０とを連結する際、端部がフレーム２７０の下面（被写体側とは反対側の面）に固定される。
【００３７】
（可動モジュール３００の構成）
図４は、本発明の参考例に係る光学ユニット１００の可動モジュール３００の分解斜視図である。図１、図２（ｂ）、（ｃ）および図４に示すように、本形態の光学ユニット１００において、可動モジュール３００は、図３を参照して説明した撮影ユニット１と、撮影ユニット１を内側に収納する角筒状のモジュールカバー３９０と、モジュールカバー３９０に対してＺ軸方向の一方側に重ねて配置される矩形枠状のセンサ保持プレート３７０と、センサ保持プレート３７０に対してＺ軸方向の一方側に重ねて配置される押さえ部材３８０とを備えている。
【００３８】
モジュールカバー３９０は、角筒状胴部３９８を備えており、かかる角筒状胴部３９８の外側の面には、可動モジュール３００をＸ軸方向の両側で挟むＸ側マグネット５８１と、可動モジュール３００をＹ軸方向の両側で挟むＹ側マグネット５８２とが固着されている。Ｘ側マグネット５８１およびＹ側マグネット５８２はいずれも、Ｚ軸方向に配列された２つの平板状のマグネット片により構成されており、２つのマグネット片は、内面と外面とが異なる極に着磁され、光軸Ｌ方向で異なる極となるように配置されている。なお、モジュールカバー３９０は磁性板からなり、バックヨークとして機能する。
【００３９】
角筒状胴部３９８の内側は、ジャイロスコープ１８０（振れ検出センサ／角速度センサ）が収容されるセンサ収容部３９６と、撮影ユニット１が収容される撮影ユニット収容部３９７とからなり、センサ収容部３９６は、上板部３９４を備えている。センサ収容部３９６において上板部３９４の下側にはブロック３０５が位置し、かかるブロック３０５の下方位置にジャイロスコープ１８０が配置される。
【００４０】
モジュールカバー３９０において、撮影ユニット収容部３９７に相当する部分の角筒状胴部３９８の被写体側端部は、センサ収容部３９６の上板部３５よりさらに被写体側に位置しており、かかる撮影ユニット収容部３９７の４つの角部分には三角形の支持板部３９５（支持部）が形成されている。
【００４１】
また、モジュールカバー３９０の角筒状胴部３９８の４つの角部分において、被写体側とは反対側の端部には外周側に向けて張り出した連結部３９３が形成されており、かかる４つの連結部３９３の各々には、ネジ１０８を通すための穴が形成されている。
【００４２】
ここで、モジュールカバー３９０の角筒状胴部３９８は、被写体側端部が開放端になっており、モジュールカバー３９０では、モジュールカバー側開口部３９０ｂが光軸Ｌ方向に開口している。かかるモジュールカバー側開口部３９０ｂは、撮影ユニット１を光軸Ｌ方向に投影面積よりも大であり、前記した固定体側開口部２１０ｂと重なっている。
【００４３】
撮影ユニット１において被写体側の端部１０ｅには、モジュールカバー３９０の支持板部３９５と重なる部分で光軸Ｌ方向に凹む三角形の４つの凹部１０２が形成されており、撮影ユニット１をモジュールカバー３９０の内側に収納した際、モジュールカバー３９０の支持板部３９５は、撮影ユニット１の凹部１０２に嵌る。
【００４４】
また、撮影ユニット１の４つの外側面のうち、−Ｙ軸側に位置する端面には、２つの突起１０３が形成されているとともに、＋Ｙ軸側に位置する端面の両側端部には突起１０４が形成されている。本形態では、撮影ユニット１の外側は、図３に示すケース１８になっていることから、端部１０ｅ、凹部１０２、突起１０３および突起１０４はいずれもケース１８に形成されている。なお、撮影ユニット１の被写体側とは反対側の端面には、駆動用フレキシブル基板４２０のサブ基板４４０の基板本体部が接続されている。
【００４５】
センサ保持プレート３７０は、矩形枠部３７１と、矩形枠部３７１の各対角位置でモジュールカバー３９０に向けて突出した円筒部３７２とを備えている。円筒部３７２には、ネジ１０８を止めるための貫通穴が形成されており、矩形枠部３７１において相対向する一対の辺部、および他の１つの辺部には、ネジ１０９を止めるための穴３７１ａが形成されている。また、矩形枠部３７１において穴３７１ａが１つ形成されている辺部の内縁には、弾性スペーサ１０６を内側に保持する２つの切り欠き３７１ｃが形成されている。
【００４６】
押さえ部材３８０は、矩形の平板部３８１と、平板部３８１において相対向する一対の辺部でセンサ保持プレート３７０に向けて突出する２つの座板部３８６と、平板部３８１において他の１つの辺部でセンサ保持プレート３７０に向けて突出する１つの座板部３８５とを有しており、座板部３８５、３８６には、ネジ１０９を通す穴が形成されている。本形態では、座板部３８５は、座板部３８６に比してＸ方向における寸法が長い。
【００４７】
（駆動用フレキシブル基板４２０の構成）
図１、図２および図４に示すように、光学ユニット１００において、固定体２１０に対して被写体側とは反対側には駆動用フレキシブル基板４２０が配置されており、駆動用フレキシブル基板４２０は、メイン基板４３０と、メイン基板４３０に接続されたサブ基板４４０とからなる。メイン基板４３０は、２つの矩形部分を繋げた形状の基板本体部４３１と、基板本体部４３１の幅方向（Ｘ軸方向）の両端部分から＋Ｙ軸方向に向けて延在する２本の帯状の引き回し部４３２、４３３とを備えている。サブ基板４４０は、矩形の基板本体部（図示せず）と、基板本体部において幅方向（Ｘ軸方向）の両端部分よりやや内側に位置する部分から＋Ｙ軸方向に向けて延在した後、Ｘ軸方向の両側に向けて屈曲する帯状接続部４４２、４４３とを備えている。本形態では、メイン基板４３０の引き回し部４３２、４３３の先端部と、サブ基板４４０の帯状接続部４４２、４４３の先端部とを接合し、メイン基板４３０とサブ基板４４０とが一体となった駆動用フレキシブル基板４２０を構成するとともに、メイン基板４３０とサブ基板４４０とを電気的に接続している。
【００４８】
（センサ用フレキシブル基板４１０の構成）
光学ユニット１００において、撮影ユニット１に対して被写体側とは反対側には、センサ用フレキシブル基板４１０が配置されている。センサ用フレキシブル基板４１０は、矩形の基板本体部４１１と、基板本体部４１１において幅方向（Ｘ方向）の両端部分から＋Ｙ軸方向に向けて延在した帯状の引き回し部４１２、４１３と、引き回し部４１２、４１３の先端部同士を結ぶ幅広のセンサ実装部４１４とを備えている。また、センサ用フレキシブル基板４１０は、センサ実装部４１４から引き回し部４１２、４１３で挟まれた部分で延在する折り曲げ部分４１６を備えており、かかる折り曲げ部分４１６は、センサ実装部４１４との連接部付近で被写体側に向けて面外方向に直角に折れ曲がった後、Ｙ軸方向の一方側に向けて折れ曲がっている。
【００４９】
かかるセンサ用フレキシブル基板４１０においては、センサ実装部４１４に、手振れセンサとしてのジャイロスコープ１８０（角速度センサ）が実装されており、折り曲げ部分４１６の内側にブロック３０５が実装されている。かかるブロック３０５は、ジャイロスコープ１８０を押し付け固定する機能を担っている。
【００５０】
（バネ部材６００の構成）
このように構成した可動モジュール３００は、板状のバネ部材６００によって、図２を参照して説明した固定体２１０に対して変位可能な状態で支持される。図２（ｃ）に示すように、バネ部材６００は、可動モジュール３００に連結される内側の可動モジュール側連結部６１０と、固定体２１０に連結された外側の固定体側連結部６２０と、可動モジュール側連結部６１０と固定体側連結部６２０との間で延在するアーム部６３０を備えており、可動モジュール側連結部６１０および固定体側連結部６２０には、ネジ１０８およびネジ２７９を通す穴が各々形成されている。かかるバネ部材６００は、ベリリウム銅や非磁性のＳＵＳ系鋼材等といった非磁性の金属製であり、所定厚の薄板に対するプレス加工、あるいはフォトリソグラフィ技術を用いたエッチング加工により形成したものである。
【００５１】
本形態において、バネ部材６００は全体として矩形枠状に形成されており、可動モジュール側連結部６１０および固定体側連結部６２０はいずれも、バネ部材６００の４つの角部分に配置されている。４本のアーム部６３０はいずれも、可動モジュール側連結部６１０から周方向の同一方向に直角に屈曲しながら延在して固定体側連結部６２０まで延在している。なお、バネ部材６００については、可動モジュール側連結部６１０および固定体側連結部６２０が各々周方向に繋がっている構成を採用してもよい。
【００５２】
（光学ユニット１０の製造方法）
図５および図６は、本発明の参考例に係る光学ユニット１００の製造方法を示す説明図である。なお、以下の説明では、固定体２１０から固定カバー２３０を外した状態のものを固定体２１０としているが、固定カバー２３０を取り付けた状態で以下の工程を行なってもよい。
【００５３】
本形態の光学ユニット１００を製造するにあたって、センサ保持プレート３７０とモジュールカバー３９０とをネジ１０８で連結する。その際、センサ保持プレート３７０の円筒部３７２とモジュールカバー３９０の連結部３９３との間に、バネ部材６００の可動モジュール側連結部６１０を配置しておく。従って、センサ保持プレート３７０とモジュールカバー３９０とをネジ１０８で連結すると、バネ部材６００の可動モジュール側連結部６１０は、センサ保持プレート３７０とモジュールカバー３９０との間に挟持された状態となる。また、センサ用フレキシブル基板４１０においてジャイロスコープ１８０が実装されているセンサ実装部４１４、およびブロック３０５が実装された折り曲げ部分４１６をセンサ保持プレート３７０とモジュールカバー３９０との間に配置しておく。その結果、ジャイロスコープ１８０は、ブロック３０５とともに、モジュールカバー３９０とセンサ保持プレート３７０との間に挟持された状態となる。この状態で、ジャイロスコープ１８０の中心は、モジュールカバー３９０と押さえ部材３８０との連結位置（ネジ１０８の位置）で囲まれた領域内にある。本形態において、ジャイロスコープ１８０は平面矩形形状であるため、ジャイロスコープ１８０の中心は、ジャイロスコープ１８０の対角同士を結ぶ直線の交点として求められる。
【００５４】
次に、図２（ａ）に示す固定体２１０の側では、フレーム２７０とコイル保持体２６０とをネジ２７９で連結する際、フレーム２７０の円筒部２７２とコイル保持体２６０の支柱部分２６１との間に、バネ部材６００の固定体側連結部６２０を配置しておく。従って、バネ部材６００の固定体側連結部６２０は、フレーム２７０とコイル保持体２６０との間に挟持された状態となる。この状態で、モジュールカバー３９０およびセンサ保持プレート３７０は、バネ部材６００を介して固定体２１０に変位可能に支持された状態となる（第１工程）。
【００５５】
その際、フレーム２７０にセンサ用フレキシブル基板４１０の基板本体部４１１および補助基板４５０の端部を重ねておき、この状態で、ネジ２７９を止める。その結果、センサ用フレキシブル基板４１０の基板本体部４１１、および補助基板４５０の端部は、ネジ２７９によってフレーム２７０に固定される。また、モジュールカバー３９０およびセンサ保持プレート３７０を固定体２１０の内側に配置した状態で、可動モジュール３００のＸ側マグネット５８１は、コイル保持体２６０のＸ側コイル５７１に対向し、可動モジュール駆動機構のＸ側磁気駆動機構が構成される。また、可動モジュール３００のＹ側マグネット５８２は、コイル保持体２６０のＹ側コイル５７２に対向し、可動モジュール駆動機構のＹ側磁気駆動機構が構成される。
【００５６】
また、図５（ａ）に示すように、センサ用フレキシブル基板４１０の引き回し部４１２、４１３は、撮像ユニット１を挿入すべき空間の側方にあり、モジュールカバー３９０においてモジュールカバー側開口部３９０ｂは、センサ用フレキシブル基板４１０の引き回し部４１２、４１３で塞がれていない。また、固定体２１０において固定体側開口部２１０ｂは、モジュールカバー側開口部３９０ｂよりも大きいため、固定体２１０の内側にモジュールカバー３９０を配置しても、モジュールカバー側開口部３９０ｂは、固定体２１０で塞がれない。
【００５７】
次に、図５（ｂ）に示すように、モジュールカバー３９０の被写体側とは反対側の端部において、固定体側開口部２１０ｂおよびモジュールカバー側開口部３９０ｂを経由して、モジュールカバー３９０の内側に撮影ユニット１を挿入し、モジュールカバー３９０の内側に撮影ユニット１を配置する（第２工程）。
【００５８】
次に、図６（ａ）に示すように、センサ保持プレート３７０の切り欠き３７１ｃおよび矩形枠部３７１の入角部分に、ゴムなどからなる弾性スペーサ１０６を入れる。その結果、撮影ユニット１の突起１０３、１０４と光軸Ｌ方向で重なる位置に弾性スペーサ１０６が配置される。その際、撮影ユニット１の被写体側とは反対側の端面には、サブ基板４４０の基板本体部４４１を接合しておく。
【００５９】
しかる後に、図６（ｂ）に示すように、撮影ユニット１に対して被写体側とは反対側に押さえ部材３８０を重ね、押さえ部材３８０の座板部３８５、３８６の穴からセンサ保持プレート３７０の穴３７１ａにネジ１０９を止めると、押さえ部材３８０はセンサ保持プレート３７０を介してモジュールカバー３９０に連結される。その結果、撮影ユニット１は、モジュールカバー３９０の支持板部３９５と押さえ部材３８０との間に挟持された状態となる。
【００６０】
しかる後には、図１（ｂ）に示すように、メイン基板４３０を重ねた後、基板本体部４３１を固定板４８０によって、フレーム２７０の枠状部２７１にネジ４９１により固定しておく。その結果、メイン基板４３０の引き回し部４３２、４３３の先端部とサブ基板４４０の帯状接続部４４２、４４３の先端部とが重なるので、メイン基板４３０の引き回し部４３２、４３３の先端部とサブ基板４４０の帯状接続部４４２、４４３の先端部とを接合する。
【００６１】
このようにして光学ユニット１００を組み立てると、可動モジュール３００はバネ部材６００を介して固定体２１０に変位可能に支持された状態となる。また、撮影ユニット１は、被写体側では、モジュールカバー３９０の支持板部３９５に凹部１０２が嵌って直接当接する一方、被写体側とは反対側では、撮影ユニット１の突起１０３、１０４と押さえ部材３８０の座板部３８５、３８６とが弾性スペーサ１０６を介して当接する。従って、各部材に寸法的な誤差などがあっても、かかる誤差は、弾性スペーサ１０６の圧縮により吸収される。
【００６２】
なお、可動モジュール３００を組み立てる前の段階で、メイン基板４３０の引き回し部４３２、４３３の先端部とサブ基板４４０の帯状接続部４４２、４４３の先端部とを接合して駆動用フレキシブル基板４２０としておき、この状態で、サブ基板４４０の基板本体部４４１を撮影ユニット１の被写体の側とは反対側の端面に接合しておいてもよい。
【００６３】
（手振れ補正動作）
本形態の光学ユニット１００では、ジャイロスコープ１８０の監視結果において可動モジュール３００が手振れによりＹ軸周りに揺動したことを検出すると、かかる振れを相殺するようにＸ側コイル５７１が通電制御され、可動モジュール３００をＹ軸周りに揺動させる。また、ジャイロスコープ１８０の監視結果において可動モジュール３００が手振れによりＸ軸周りに揺動したことを検出すると、かかる振れを相殺するようにＹ側コイル５７２が通電制御され、可動モジュール３００をＸ軸周りに揺動させる。それ故、可動モジュール３００での揺れを補正することができる。また、可動モジュール３００のＸ軸周りの揺動と、Ｙ軸周りの揺動とを合成すれば、ＸＹ面全体に対して可動モジュール３００を変位させることができる。それ故、光学ユニット１００で想定される全ての振れを確実に補正することができる。
【００６４】
（本形態の主な効果）
以上説明したように、本形態の光学ユニット１００およびその製造方法では、固定体２１０には、被写体側とは反対側（第１方向側）で開口する固定体側開口部２１０ｂを設け、モジュールカバー３９０の被写体側とは反対側（第１方向）には、固定体側開口部２１０ｂと重なる位置にモジュールカバー側開口部３９０ｂを設けてある。このため、第１工程において、バネ部材６００を介してモジュールカバー３９０を固定体２１０に搭載するとともに、モジュールカバー３９０と固定体２１０との間に可動モジュール駆動機構５００を設けた後、第２工程において、固定体側開口部２１０ｂおよびモジュールカバー側開口部３９０ｂを経由してモジュールカバー３９０の内側に撮影ユニット１を挿入することができる。従って、固定体２１０に対してモジュールカバー３９０、バネ部材６００、可動モジュール駆動機構５００を取り付ける工程とは別工程で、撮影ユニット１を製作できる。従って、全ての部材を組立後、検査するなどの場合と違って、製造途中で検査することができる。それ故、不具合品が発生した際に発生する損失を低く抑えることができる。
【００６５】
また、モジュールカバー３９０に対して被写体側（第２方向側）には、支持部としての支持板部３９５が設けられ、被写体側とは反対側（第１方向側）には押さえ部材３８０が設けられている。このため、モジュールカバー３９０内に撮影ユニット１を挿入した際、撮影ユニット１の被写体側（第２方向側）の端部は支持板部３９５によって支持される。また、押さえ部材３８０を取り付けた後は、撮影ユニット１の被写体側とは反対側（第１方向側）の端部は押さえ部材３８０によって支持される。従って、モジュールカバー３９０内に撮影ユニット１を収容した後、接着や溶着などにより、モジュールカバー３９０内で撮影ユニット１を固定する構成と違って、組立が容易で、光軸Ｌのずれなども発生しにくい。それ故、光学ユニット１００の生産効率および歩留まりを向上することができる。
【００６６】
さらに、撮影ユニット１を搭載した後、撮影ユニット１のみを交換することができるとともに、光学ユニット１００を製造する際、搭載すべき撮影ユニット１を別のものに変更することも容易である。
【００６７】
また、本形態において、撮影ユニット１の被写体側（第２方向側）の端部を支持する支持部は、モジュールカバー３９０の支持板部３９５であるため、支持部を別部材で構成しなくても、撮影ユニット１の被写体側（第２方向側）の端部を支持することができる。しかも、撮影ユニット１は、支持板部３９５が重なる部分には光軸Ｌ方向に凹んだ凹部１０２が形成されているため、モジュールカバー３９０に支持板部３９５を設けた場合でも、凹部１０２の深さ分だけは、可動モジュール３００を薄型化することができ、光学ユニット１００を薄型化するのに有利である。
【００６８】
また、モジュールカバー３９０と撮影ユニット１とは直接当接し、押さえ部材３８０は弾性スペーサ１０６を介して当接している。このため、各部材に寸法的な誤差などがあっても、かかる誤差は、弾性スペーサ１０６の圧縮により吸収されるので、撮影ユニット１は、モジュールカバー３９０と押さえ部材３８０との間に確実に挟持される。その際、センサ保持プレート３７０も確実に連結されるので、ジャイロスコープ１８０は、可動モジュール３００の振れを確実に検出する。
【００６９】
また、本形態では、撮影ユニット１の周りを囲むようにセンサ保持プレート３７０を配置し、かかるセンサ保持プレート３７０によって、撮影ユニット１に対して光軸Ｌ方向で重ならない位置でジャイロスコープ１８０を保持する。このため、ジャイロスコープ１８０と撮影ユニット１とは光軸Ｌ方向で重なっていないので、可動モジュール３００の光軸Ｌ方向の寸法（厚さ寸法）を小さくすることができる。また、撮影ユニット１をモジュールカバー３９０の内側に挿入する際、ジャイロスコープ１８０が邪魔にならない。
【００７０】
また、センサ保持プレート３７０はモジュールカバー３９０および押さえ部材３８０の双方と連結しているので、センサ保持プレート３７０の剛性が大きい。しかも、ジャイロスコープ１８０の中心位置は、センサ保持プレート３７０とモジュールカバー３９０との連結個所で囲まれた領域内に配置されているため、センサ保持プレート３７０において、ジャイロスコープ１８０の中心が位置する部分の剛性が大きい。従って、センサ保持プレート３７０においてジャイロスコープ１８０の中心が位置する部分が振動しにくいので、可動モジュール３００および光学ユニット１００を薄型化した場合でも、ジャイロスコープ１８０に余計な振動が発生しにくく、ジャイロスコープ１８０は可動モジュール３００の振れを確実に補正することができる。
【００７１】
［実施の形態］
本形態では、モジュールカバーなどを固定体に搭載した後、モジュールカバー内に撮影ユニット（光学素子ユニット）を被写体側（光軸Ｌが延在している側）から挿入する。従って、本形態において、「第１方向」および「第２方向」は各々以下に示す条件
第１方向＝光軸Ｌが延在している方向（被写体側）
第２方向＝光軸Ｌが延在している側とは反対方向（被写体とは反対側）
である。
【００７２】
（光学ユニットの構成）
図７は、本発明の実施の形態に係る撮影用の光学ユニットの説明図であり、図７（ａ）、（ｂ）は各々、光学ユニットを被写体側からみた斜視図、および光学ユニットを被写体側とは反対側からみた斜視図である。図８は、本発明の実施の形態に係る光学ユニットの固定体および可動モジュールの説明図であり、図８（ａ）、（ｂ）、（ｃ）は各々、固定体を被写体側からみた斜視図、可動モジュールを被写体側からみた斜視図、および可動モジュールを被写体側とは反対側からみた斜視図である。なお、図８（ａ）では、固定カバーの図示を省略してある。また、本形態の基本的な構成は参考例と同様であるため、可能な限り、共通する機能を有する部分には同一の符号を付して説明する。
【００７３】
図７および図８に示す光学ユニット１００も、参考例と同様、カメラ付き携帯電話機に用いられる薄型カメラであって、全体として略直方体形状を有している。本形態においても、振れ補正機構を構成するにあたって、光学ユニット１００は、概ね、固定カバー２３０およびコイル保持体２６０からなる固定体２１０と、撮影ユニット１を内側に保持する可動モジュール３００と、固定体２１０および可動モジュール３００に接続する板状のバネ部材６００と、可動モジュール３００と固定体２１０との間で可動モジュール３００を固定体２１０に対して相対変位させる磁気駆動力を発生させる可動モジュール駆動機構５００とを有している。バネ部材６００は、可動モジュール３００に連結される内側の可動モジュール側連結部６１０と、固定体２１０に連結された外側の固定体側連結部６２０と、可動モジュール側連結部６１０と固定体側連結部６２０との間で延在するアーム部６３０を備えている。
【００７４】
（固定体２１０の構成）
固定カバー２１０において被写体側の端部に位置する上板部２１１には、矩形窓状の開口部２１１ａが形成されており、本形態では、撮像ユニット１に対して光軸Ｌ方向で重なる領域を含む広い領域に開口部２１１ａが形成されている。
【００７５】
固定体２１０に用いたコイル保持体２６０は、被写体側とは反対側に位置する矩形枠状の第１コイル保持部材２７０と、第１コイル保持部材２７０に対して被写体側に重ねて配置される第２コイル保持部材２８０とからなり、第１コイル保持部材２７０の側面には第１コイル５４１、５４２、５４３、５４４が保持されている。また、第２コイル保持部材２８０の側面には第２コイル５５１、５５２、５５３、５５４が保持されている。第１コイル５４１、５４２、５４３、５４４および第２コイル５５１、５５２、５５３、５５４は矩形枠状に巻回された空芯コイルであり、Ｚ軸方向で対向する２つの有効辺部分を備えている。
【００７６】
本形態では、第１コイル保持部材２７０および第２コイル保持部材２８０を用いてコイル保持体２６０を構成するにあたって、第１コイル保持部材２７０と第２コイル保持部材２８０とをＺ軸方向に重ねて配置した後、４つの角部分に形成された穴に角棒状の４本のピン状端子５９１を圧入し、第１コイル保持部材２７０と第２コイル保持部材２８０とを連結する。その際、第１コイル保持部材２７０と第２コイル保持部材２８０との間にバネ部材６００の固定体側連結部６２０を配置しておけば、固定体側連結部６２０は、第１コイル保持部材２７０と第２コイル保持部材２８０とによって挟持される。
【００７７】
ここで、ピン状端子５９１は、第１コイル保持部材２７０および第２コイル保持部材２８０をＺ軸方向で貫通し、ピン状端子５９１の両端部はコイル保持体２６０から突出している。従って、第１コイル５４１〜５４４と第２コイル５５１〜５５４とについては４本の金属製のピン状端子５９１を用いて導通させることができる。それ故、ピン状端子５９１のうちの２本と、第１コイル保持部材２７０に保持された２本の給電端子５９４をセンサ用フレキシブル基板４１０にハンダ付けすれば、第１コイル５４１〜５４４および第２コイル５５１〜５５４への給電を行うことができる。
【００７８】
このように構成したコイル保持体２６０では、被写体側の端部には、光軸Ｌ方向に開口する開口部２６０ａが形成されている。かかる開口部２６０ａは、固定カバー２１０の開口部２１１ａと同一サイズであり、撮像ユニット１を光軸Ｌ方向に投影した面積よりも大きい。本形態では、開口部２１１ａ、２６０ａを合わせて、固定体側開口部２１０ａとする。
【００７９】
（可動モジュール３００の構成）
図９は、本発明の実施の形態に係る光学ユニット１００の可動モジュール３００の説明図であり、図９（ａ）、（ｂ）は各々、可動モジュール３００を被写体側からみたときの分解斜視図、および可動モジュール３００を被写体側とは反対側からみたときの分解斜視
図である。
【００８０】
図８（ｂ）、（ｃ）および図９に示すように、本形態の光学ユニット１００において、可動モジュール３００は、図３を参照して説明した撮影ユニット１と、撮影ユニット１を内側に収納する角筒状のモジュールカバー３１０と、撮影ユニット１に対して被写体側とは反対側でモジュールカバー３１０に連結された支持部材３３０と、撮影ユニット１に対して被写体側でモジュールカバー３１０に連結された矩形の押さえ部材３５０とを備えている。
【００８１】
本形態において、モジュールカバー３１０は角筒状であり、被写体側には、撮影ユニット１を光軸Ｌ方向に投影した面積よりも大きなモジュールカバー側開口部３１０ａが光軸Ｌ方向に開口している。また、モジュールカバー３１０は、被写体側とは反対側に開口部３１０ｃを備えており、かかる開口部３１０ｃの内側には、後述する駆動用フレキシブル基板４２０に実装されたコネクタ部材９１０が位置している。
【００８２】
押さえ部材３５０には、被写体からの光を撮像ユニット１に導く円形の穴３５０ａが形成されている。また、押さえ部材３５０は、４つの角付近にモジュールカバー３１０に向けて突き出たフック３５３を備えており、かかるフック３５３がモジュールカバー３１０の係合突起３１８に引っ掛かることにより、押さえ部材３５０とモジュールカバー３１０とが結合されている。
【００８３】
支持部材３３０は、Ｘ軸方向で対向する２つの辺部分にフック３３８を備えているとともに、Ｙ軸方向の一方側にもフック３３８を備えている。ここで、複数のフック３３８での折れ曲がり部分は異なる高さ位置にあり、かかるフック部の折れ曲がり部分の間にモジュールカバー３１０において内側への折れ曲がり部分が嵌ることにより、支持部材３３０とモジュールカバー３１０とが結合されている。また、支持部材３３０の上面には、ジャイロストッパ（図示せず）が設けられており、ジャイロストッパは、支持部材３３０と撮影ユニット１との間にジャイロスコープ１８０を配置可能なスペースを確保している。
【００８４】
また、可動モジュール３００は、モジュールカバー３１０の外周面に固定された第１スペーサ部材３２１および第２スペーサ部材３２２を有している。第１スペーサ部材３２１および第２スペーサ部材３２２は、モジュールカバー３１０の外周面のうち、光軸Ｌ方向の略中央付近に固定されており、第１スペーサ部材３２１と第２スペーサ部材３２２とは光軸Ｌ方向で隣り合っている。
【００８５】
モジュールカバー３１０の外側の４つの面の各々において、第１スペーサ部材３２１に対して被写体側とは反対側には矩形平板状の第１マグネット５６１が２枚、Ｚ軸方向で隣接するように配置され、第２スペーサ部材３２２に対して被写体側には矩形平板状の第２マグネット５６２が２枚、Ｚ軸方向で隣接するように配置されている。
【００８６】
（可動モジュール３００側でのバネ部材６００の保持構造）
本形態では、第１スペーサ部材３２１および第２スペーサ部材３２２を一対のバネ保持部材として用い、バネ部材６００の可動モジュール側連結部６１０と、モジュールカバー３１０（可動モジュール３００）との連結を行なう。すなわち、第１スペーサ部材３２１および第２スペーサ部材３２２をモジュールカバー３１０に固定する際、第１スペーサ部材３２１と第２スペーサ部材３２２との間にバネ部材６００の可動モジュール側連結部６１０を配置しておく。その結果、バネ部材６００の可動モジュール側連結部６１０は、第１スペーサ部材３２１と、第２スペーサ部材３２２とによって、光軸Ｌ方向の両側から挟持される。なお、バネ部材６００の可動モジュール側連結部６１０を第１スペーサ部材３２１と第２スペーサ部材３２２とによって挟持した状態で接着あるいは溶着などを行なう。
【００８７】
（可動モジュール駆動機構５００の構成）
このように構成した可動モジュール３００を、図８などを参照して説明したコイル保持体２６０の内側に配置すると、図８に示すように、可動モジュール３００の第１マグネット５６１は、コイル保持体２６０の第１コイル５４１、５４２、５４３、５４４に対向し、可動モジュール駆動機構５００を構成する。また、可動モジュール３００の第２マグネット５６２は、コイル保持体２６０の第２コイル５５１、５５２、５５３、５５４に対向し、可動モジュール駆動機構５００を構成する。かかる可動モジュール駆動機構５００は可動モジュール３００をＸ軸方向の両側に挟むように構成されているとともに、可動モジュール３００をＹ軸方向の両側に挟むように構成されている。従って、ジャイロスコープ１８０での検出結果に基づいて、第１コイル５４１〜５４４および第２コイル５５１〜５５４の通電制御を行なえば、可動モジュール３００での揺れを補正することができる。
【００８８】
光学ユニット１００において被写体側とは反対側には、センサ用フレキシブル基板４１０と、駆動用フレキシブル基板４２０とが配置され、センサ用フレキシブル基板４１０には、ジャイロスコープ１８０が実装されている。
【００８９】
駆動用フレキシブル基板４２０は、外部接続部４２５がセンサ用フレキシブル基板４１０と電気的に接続されているとともに光学ユニット１００の外側まで引き出されており、外部からの第１コイル５４１、５４２、５４３、５４４および第２コイル５５１、５５２、５５３、５５４の通電制御に用いられている。
【００９０】
また、駆動用フレキシブル基板４２０は、撮影ユニット１との間での信号の入出力に用いられており、駆動用フレキシブル基板４２０と撮影ユニット１との電気的な接続にはＢｏａｒｄ  ｔｏ  Ｂｏａｒｄ（基板対基板）方式のコネクタ９００が用いられている。このため、駆動用フレキシブル基板４２０にはコネクタ部材９１０が実装されている一方、撮影ユニット１の被写体側とは反対側の端部には、コネクタ部材９１０と結合してコネクタ９００を構成するコネクタ部材９２０が搭載されている。
【００９１】
（光学ユニット１０の製造方法）
図１０は、本発明の実施の形態に係る光学ユニット１００の製造方法を示す説明図である。本形態の光学ユニット１００を製造するにあたって、まず、図１０（ａ）、（ｂ）に示すように、第１工程では、バネ部材６００を介してモジュールカバー３１０を固定体２１０に搭載する。その際、モジュールカバー３１０の被写体側とは反対側の端部には支持部材３３０を取り付けておく。また、モジュールカバー３１０の被写体側とは反対側にセンサ用フレキシブル基板４１０および駆動用フレキシブル基板４２０を配置しておく。この状態で、モジュールカバー３１０の被写体側とは反対側の開口部３１０ｃの内側にコネクタ部材９１０が位置する。
【００９２】
次に第２工程では、図１０（ｃ）、（ｄ）に示すように、固定体側開口部２１０ａおよびモジュールカバー側開口部３１０ａを経由してモジュールカバー３１０の内側に撮影ユニット１を挿入する。その結果、撮影ユニット１に設けられたコネクタ部材９２０は、駆動用フレキシブル基板４２０に実装されているコネクタ部材９１０と結合する。
【００９３】
次に第３工程では、図７（ａ）に示すように、モジュールカバー３１０の被写体側の端部に押さえ部材３５０を取り付け、撮影ユニット１の被写体側の端部を支持する押さえ部材３５０で押さえる。
【００９４】
（本形態の主な効果）
以上説明したように、本形態の光学ユニット１００およびその製造方法では、固定体２１０には、被写体側側（第１方向側）で開口する固定体側開口部２１０ａを設け、モジュールカバー３９０の被写体側（第１方向）には、固定体側開口部２１０ａと重なる位置にモジュールカバー側開口部３９０ａを設けてある。このため、第１工程において、バネ部材６００を介してモジュールカバー３１０を固定体２１０に搭載するとともに、モジュールカバー３１０と固定体２１０との間に可動モジュール駆動機構５００を設けた後、第２工程において、固定体側開口部２１０ａおよびモジュールカバー側開口部３９０ａを経由してモジュールカバー３１０の内側に撮影ユニット１を挿入することができる。従って、固定体２１０に対してモジュールカバー３１０、バネ部材６００、可動モジュール駆動機構５００を取り付ける工程とは別工程で、撮影ユニット１を製作できる。従って、全ての部材を組立後、検査するなどの場合と違って、製造途中で検査することができる。それ故、不具合品が発生した際に発生する損失を低く抑えることができる。
【００９５】
また、モジュールカバー３１０に対して被写体側とは反対側（第２方向側）には、支持部としての支持部材３３０が設けられ、被写体側（第１方向側）には押さえ部材３５０が設けられている。このため、モジュールカバー３１０内に撮影ユニット１を挿入した際、撮影ユニット１の被写体側とは反対側（第２方向側）の端部は支持部材３３０によって支持される。また、押さえ部材３５０を取り付けた後は、撮影ユニット１の被写体側（第１方向側）の端部は押さえ部材３５０によって支持される。従って、モジュールカバー３１０内に撮影ユニット１を収容した後、接着や溶着などにより、モジュールカバー３１０内で撮影ユニット１を固定する構成と違って、組立が容易で、光軸Ｌのずれなども発生しにくい。それ故、光学ユニット１００の生産効率および歩留まりを向上することができる。
【００９６】
さらに、撮影ユニット１を搭載した後、撮影ユニット１のみを交換することができるとともに、光学ユニット１００を製造する際、搭載すべき撮影ユニット１を別のものに変更することも容易である。
【００９７】
また、本形態では、撮影ユニット１の被写体側とは反対側（第２方向側）の端部と、支持部材３３０との間には、コネクタ９００（コネクタ部材９１０、９２０）が配置されている。このため、モジュールカバー３１０内に撮影ユニット１を挿入するだけで、撮影ユニット１と駆動用フレキシブル基板４２０との電気的な接続を行なうことができる。
【００９８】
［他の実施の形態］
上記実施の形態では、カメラ付き携帯電話機に用いる光学ユニット１００に本発明を適用した例を説明したが、薄型のデジタルカメラなどに用いる光学ユニット１００に本発明を適用した例を説明してもよい。また、上記形態では、撮影ユニット１にレンズ１０や撮像素子１５５に加えて、レンズ１２１を含む移動体３を光軸Ｌ方向に磁気駆動するレンズ駆動機構５が支持体２上に支持されている例を説明したが、撮影ユニット１にレンズ駆動機構５が搭載されていない固定焦点タイプの光学ユニットに本発明を適用してもよい。
【００９９】
また、上記実施の形態では、可動モジュールとして、レンズおよび撮像素子を備えている可動モジュールを説明したが、本発明は可動モジュールとして少なくともレンズを備えている光学ユニットに適用することができ、このような光学ユニットには、例えば、レーザポインタや、携帯用や車載用の投射表示装置などがある。
【符号の説明】
【０１００】
１  撮影ユニット（光学素子ユニット）
２  支持体
３  移動体
５  レンズ駆動機構
１０  レンズ（光学素子）
１００  光学ユニット（手振れ補正機構付き光学ユニット）
１８０  ジャイロスコープ（振れ検出センサ）
２１０  固定体
２１０ａ、２１０ｂ  固定体側開口部
２３０  固定カバー
２６０  コイル保持体
３００  可動モジュール
３１０、３９０  モジュールカバー
３１０ｂ、３９０ａ  モジュールカバー側開口部
４１０  センサ用フレキシブル基板
４２０  駆動用フレキシブル基板
５００  可動モジュール駆動機構
３００  可動モジュール
３３０  支持部材
３５０、３８０  押さえ部材
３９５  モジュールカバーの端板部（支持部）
５００  可動モジュール駆動機構
６００  バネ部材
９００  コネクタ
９１０、９２０  コネクタ部材
【図１】
0005604068.tif 000002
【図２】
0005604068.tif 000003
【図３】
0005604068.tif 000004
【図４】
0005604068.tif 000005
【図５】
0005604068.tif 000006
【図６】
0005604068.tif 000007
【図７】
0005604068.tif 000008
【図８】
0005604068.tif 000009
【図９】
0005604068.tif 000010
【図１０】
0005604068.tif 000011